(57)【要約】【課題】カード入れ用のポケットから容易に取り出すことのできるカード型情報記憶媒体の提供を目的とする。【解決手段】側縁部に爪１により引っかけ可能な小突起２を形成して構成する。【選択図】  図１
2004358761.tif 000002
【特許請求の範囲】
【請求項１】
側縁部に爪１により引っかけ可能な小突起２を形成したカード型情報記憶媒体。
【請求項２】
側縁部に爪により引っかけ可能な小凹部３を形成したカード型情報記憶媒体。
【請求項３】
前記小突起、または小凹部の爪係止部が垂直立ち上がり面により形成される請求項１または２記載のカード型情報記憶媒体。
【発明の詳細な説明】
【０００１】
【発明の属する技術分野】
本発明はカード型情報記憶媒体に関するものである。
【０００２】
【従来の技術】
クレジットカード、キャッシュカード等として多用されるカード型情報記憶媒体としては、従来、特許文献１に記載されたものが知られている。このカード型情報記憶媒体は、カード基体に磁気ストライプを配置した、いわゆる磁気カードであり、カード基体の表面には、クレジット用個人情報を目視するためのエンボスが形成される。
【０００３】
【特許文献１】
特開２００２−２４７８２号公報
【０００４】
【発明が解決しようとする課題】
ところで、カード型情報記憶媒体は、種々のサービスを受ける際の個人認証手段として多用され、利用者が所有するカード枚数も相当数にのぼることもまれではない。
【０００５】
これら複数枚のカード型情報記憶媒体は、通常、財布に形成されたカード入れ用のポケットに挿入して保持されるが、保持枚数が増えてくると他のカードがポケットを押し付けてポケットからの取り出しが困難となり、使い勝手が極めて悪くなるという欠点がある。
【０００６】
本発明は、以上の欠点を解消すべくなされたものであって、カード入れ用のポケットから容易に取り出すことのできるカード型情報記憶媒体の提供を目的とする。
【０００７】
【課題を解決するための手段】
本発明によれば上記目的は、
側縁部に爪１により引っかけ可能な小突起２を形成したカード型情報記憶媒体を提供することにより達成される。
【０００８】
本発明において、図２に示すように、多数のカード型情報記憶媒体Ａをカード入れ５等に収容した場合であっても、カード基体６の辺縁に形成された小突起２のカード基体６内方側、すなわち、爪係止部４に爪１により引っかけて目的のカードを簡単に取り出すことができる。
【０００９】
カード型情報記憶媒体Ａは、ＩＣカード、磁気カード等、カード基体６に電磁的記憶手段を担持させたもの以外に、例えば、カード基体６に直接文字、あるいは写真等を印刷、刻印しただけのものであってもよい。
【００１０】
また、爪１に引っかけてカード型情報記憶媒体Ａを引っ張り出すには、小突起２以外に、小凹部３を利用することも可能である。小凹部３の形成に際しては、カード基体６表面への突出要素を必須としないために、カードリーダ等との干渉が確実に防止でき、この結果、形成位置の自由度が高くなる。
【００１１】
小突起２、あるいは小凹部３の形成箇所は、例えば、図２（ａ）に示すように、カード入れ５のカード収容部５ａ内にカード型情報記憶媒体Ａを挿入、保持した際に、カード収容部５ａの上縁から露出する領域に設定され、リーダ等による読み込みが必要なカード型情報記憶媒体Ａで、かつ、小突起２を形成する場合には、リーダによるリード／ライト動作に支障のない位置が選択される。
【００１２】
さらに、小突起２等は、いずれか一方、望ましくは磁気ストライプ７等の形成領域の反対端の長辺部に一箇所形成すれば足りるが、該長辺部の複数箇所に形成したり、あるいは縦方向の収容姿勢に対しても有効なように、隣接する２辺に形成することもできる。
【００１３】
【発明の実施の形態】
図１、２に本発明の実施の形態を示す。この実施の形態において、カード型情報記憶媒体Ａは、磁気ストライプ７を情報記憶部として使用した磁気カードであり、ＪＩＳ／ＩＳＯに規定される大きさのカード基体６の一側縁部に磁気ストライプ７を形成して構成される。
【００１４】
カード基体６の適宜位置には、印刷によりカード種類、所有者等を表示する印刷領域８と、エンボス加工により突出文字、記号を浮き出させたエンボス領域９が設定される。
【００１５】
図１、２において符号２は上記カード基体６の側縁に突設される小突起であり、磁気ストライブ７が配置される長辺部に対向する他の長辺部で、図２に示すように、カード型情報記憶媒体Ａをカード入れ５のカード収容部５ａに挿入した状態でカード収容部５ａから露出する位置に形成される。
【００１６】
この小突起２は、図２（ｂ）に示すように、カード基体６にエンボス加工を施して形成することが可能であるが、この他に、接着剤、樹脂塊等を接合、膨隆させて形成することもできる。また、小突起２の側辺部で、少なくとも爪１を引っかけて引っ張る方、すなわち、カード基体６中央側の辺縁（爪係止部４）には、図２（ｂ）に示すように、垂直立ち上がり壁面を形成して、爪１の引っかかりを良好にするのが望ましい。
【００１７】
したがってこの実施の形態において、図２（ａ）に示すように、複数のカード収容部５ａを有するカード入れ５に多数のカード型情報記憶媒体Ａを挿入しても、図２（ｃ）に示すように、上記小突起２に爪１を引っかけて押し出すと、簡単に所定のカード型情報記憶媒体Ａを取り出すことができる。
【００１８】
なお、以上においては、小突起２は平面視円形に形成されているが、長円形、矩形等、適宜形状にすることができる。
【００１９】
図３に本発明の第２の実施の形態を示す。なお、本実施の形態の説明において、上述した実施の形態と実質的に同一の構成要素は、図中に同一符号を付して説明を省略する。この実施の形態において、カード基体６の側縁には、小凹部３が凹設される。小凹部３は、上記実施例における小突起２の位置と同一の条件により設定された位置に配置される。
【００２０】
小凹部３は、図３（ａ）に示すように、カード基体６の辺縁に平行な直線部３ａからカード基体６内方に向けて半円領域３ｂが連続する平面視において半円形状に形成され、直線部３ｂが垂直壁とされて爪係止部４として利用される。
【００２１】
したがってこの実施の形態において、カード型情報記憶媒体Ａは、図３（ｂ）に示すように、半円領域３ｂに爪１の先を入れるようにして垂直壁（爪係止部４）に係止させることにより、容易にカード型情報記憶媒体Ａを引き出すことができる。
【００２２】
【発明の効果】
以上の説明から明らかなように、本発明によれば、カード入れ用のポケットから容易に取り出すことのできるために、使い勝手が向上する。
【図面の簡単な説明】
【図１】本発明を示す図で、（ａ）は平面図、（ｂ）は（ａ）の１Ｂ−１Ｂ線断面図である。
【図２】本発明の動作を示す図で、（ａ）はカード入れに収容した状態を示す斜視図、（ｂ）は（ａ）の要部断面図、（ｃ）はカード型情報記憶媒体を取り出す状態を示す図である。
【図３】本発明の第２の実施の形態を示す図で、（ａ）は平面図、（ｂ）は（ａ）の３Ｂ−３Ｂ線断面図である。
【符号の説明】
１        爪
２        小突起
３        小凹部
４        爪係止部
Ａ        カード型情報記憶媒体
【図１】
2004358761.tif 000003
【図２】
2004358761.tif 000004
【図３】
2004358761.tif 000005